(57)【特許請求の範囲】
【請求項１】
室内と室外を連通する換気用パイプに装着される筒状部および、通風路を形成する開口部を有したフレームと、このフレームの開口部に連通する吸込口が形成され前記フレームに着脱自在に設けられる化粧枠と、この化粧枠の吸込口を開閉するシャッターと、このシャッターをレバーの横動操作により前後方向に移動して開閉するシャッター開閉手段と、このシャッター開閉手段により開閉されるシャッターの開放時に周囲に通風口が形成されるように前記化粧枠の前方に設けられる化粧パネルとを備え、前記シャッターの全体を、レバーの横動運動に連動して起伏運動を行うシャッター開閉手段により開閉する構成とした換気装置であって、端部の高さ位置が異なる傾斜溝を有し、前記化粧枠の前面下方部に横動自在に設けられる前記レバーと、前記シャッターの前後移動距離に見合う高さに起きる長さでほぼコの字状に曲折し、前記シャッターに回動自在に設けられ、一端を前記化粧枠の前方に回動自在に設け、他端をほぼ逆Ｌ字状に曲折し移動端部を形成して前記レバーの傾斜溝に係合する主軸部と、この主軸部とほぼ同様の形状で両端部が前記化粧枠の前方に回動自在に設けられ、前記シャッターを保持するように前記主軸部にほぼ平行に設けられ、前記主軸部の動きに連動して起伏される補助軸部とを備え、前記レバーの横動操作により前記レバーに設けた前記傾斜溝に係合している前記主軸部を起伏させて前記シャッターを開閉する前記シャッター開閉手段を構成したことを特徴とする換気装置。
【請求項２】
レバーの傾斜溝の長さを主軸部の移動端部の回動距離よりも長い長さに形成した請求項１記載の換気装置。
【請求項３】
レバーの傾斜溝の高位置側端部に、レバーの横動方向と平行な高位置側保持溝を設けた請求項１または２記載の換気装置。
【請求項４】
レバーの傾斜溝の低位置側端部に、レバーの横動方向と平行な低位置側保持溝を設けた請求項１または２記載の換気装置。
【請求項５】
レバーの傾斜溝の高位置側端部に主軸部の移動端部がロックされるロック手段を設けた請求項１、２、３記載の換気装置。
【請求項６】
レバーの傾斜溝の低位置側端部に主軸部の移動端部がロックされるロック手段を設けた請求項１、２または４記載の換気装置。
【請求項７】
レバーを横動してシャッターを閉鎖したときに、前記シャッターの開放を阻止するように設けられるリブを前記レバーに設けた請求項１〜６のいずれかに記載の換気装置。
【発明の詳細な説明】
【０００１】
【発明の属する技術分野】
本発明は、居室の壁面または、天井面に取り付けられ室外と連通する換気パイプに接続することで居室内の空気を入れ換える換気装置に関する。
【０００２】
【従来の技術】
近年、居室内の環境の良化を図るために居室内の空気を入れ換える換気装置が普及しており、換気風量が低下することなく、居室内への突出量を少なくして使用者に違和感を与えることがなく、インテリア性の向上を図ることのできるように薄形に形成できるようにすることの要求が高まってきている。
【０００３】
従来、この種の換気装置の一例として図１４および図１５に示すものが知られていた。以下、その構成について図１４および図１５を参照しながら説明する。
【０００４】
図に示すように、壁１０１を貫通して設けられる換気用パイプ１０２に装着され、前面に通風路を形成する開口部を有したフレーム１０３と、フレーム１０３に嵌合係止される着脱可能な化粧枠１０４と、化粧枠１０４に設けた開口部の下縁に設けた受部１０５と、この受部１０５に係合される掛け部１０６を有し、掛け部１０６より下方に突出部１０７を設けたシャッター１０８と、このシャッター１０８の前方位置において化粧枠１０４に設けられる化粧パネル１０９と、シャッター１０８と化粧枠１０４間に設けられるシャッター１０８を開き勝手に作用するばね１１０とを備え、シャッター１０８に設けた突部１１１に当接する傾斜部１１２をレバー１１３の横動時に移動させるように設け、シャッター１０８を掛け部１０６を支点に傾倒自在に設け、シャッター１０８を閉じるときには、レバー１１３の横動操作によりシャッター１０８を開き勝手に作用するばね１１０のばね圧に抗して突部１１１に傾斜部１１２の高い部分を係合して突部１１１を押し上げ、この突部１１１の押し上げを解除すると、シャッター１０８は掛け部１０６を支点に上方側が前方に傾き、上方側に通気口１１４が開口されて室内の汚染された空気を換気するように構成していた。
【０００５】
【発明が解決しようとする課題】
このような従来の換気装置では、シャッター１０８は掛け部１０６を支点に上方側が前方に傾き開放されるものであるため、通気口１１４の開口面積を大きくして換気風量を十分に形成することが困難で、通気口１１４の開口面積を大きくするためにシャッター１０８の前方への傾き角度を大きくすると、それにともない化粧パネル１０９が室内側に大きく突出することとなり、使用者に違和感を与えるとともにインテリア性も悪いという課題があった。
【０００６】
本発明は、上記課題を解決するもので、通風口の開口面積を小さくすることなく、壁面または天井面から突出する厚みをより薄くした換気装置を提供することを目的とする。
【０００７】
【課題を解決するための手段】
本発明の換気装置においては、室内と室外を連通する換気用パイプに装着される筒状部および、通風路を形成する開口部を有したフレームと、このフレームの開口部に連通する吸込口が形成され前記フレームに着脱自在に設けられる化粧枠と、この化粧枠の吸込口を開閉するシャッターと、このシャッターをレバーの横動操作により前後方向に移動して開閉するシャッター開閉手段と、このシャッター開閉手段により開閉されるシャッターの開放時に周囲に通風口が形成されるように前記化粧枠の前方に設けられる化粧パネルとを備え、前記シャッターの全体を、レバーの横動運動に連動して起伏運動を行うシャッター開閉手段により開閉する構成としたものである。
【０００８】
この本発明によれば、通風口の開口面積を小さくすることなく、壁面または天井面から突出する厚みをより薄くした換気装置を提供することができる。
【０００９】
【発明の実施の形態】
本発明の請求項１に記載の発明は、端部の高さ位置が異なる傾斜溝を有し、前記化粧枠の前面下方部に横動自在に設けられる前記レバーと、前記シャッターの前後移動距離に見合う高さに起きる長さでほぼコの字状に曲折し、前記シャッターに回動自在に設けられ、一端を前記化粧枠の前方に回動自在に設け、他端をほぼ逆Ｌ字状に曲折し移動端部を形成して前記レバーの傾斜溝に係合する主軸部と、この主軸部とほぼ同様の形状で両端部が前記化粧枠の前方に回動自在に設けられ、前記シャッターを保持するように前記主軸部にほぼ平行に設けられ、前記主軸部の動きに連動して起伏される補助軸部とを備え、前記レバーの横動操作により前記レバーに設けた前記傾斜溝に係合している前記主軸部を起伏させて前記シャッターを開閉する前記シャッター開閉手段を構成したものであり、シャッターの開放時に周囲に通気口が形成されることにより通風口の開口面積が大きくなり、シャッターの前方への開放距離を小さくしても所定の換気風量を得ることができるとともに、レバーを横動させる構造によりレバーが前方に突出することがなくなり壁面または天井面から突出する厚みを薄くすることができるという作用を有する。
【００１０】
以下、本発明の実施の形態について図１〜図１３を参照しながら説明する。
【００１１】
（実施の形態１）
図１〜図５に示すように、室内と室外を連通するように壁部１を貫通して設けられる換気用パイプ２に装着される筒状部３および、通風路を形成する開口部４を有し、内部にファンモーター５を設けたフレーム６と、フレーム６の開口部４に連通する吸込口７が形成され、フレーム６の外周に嵌合される形状で着脱自在に設けられる化粧枠８と、この化粧枠８の吸込口７を開閉する形状で背面側に吸込口７の周辺に密着するパッキン９を設けたシャッター１０と、シャッター１０をレバー１１の横動操作により前後方向に移動して開閉するシャッター開閉手段１２と、シャッター開閉手段１２により開閉されるシャッター１０の開放時に周囲に通風口１３が形成されるように化粧枠８に設けた支持脚１４により化粧枠８前方に設けられる化粧パネル１５とを設ける。
【００１２】
そして、シャッター開閉手段１２を、端部の高さ位置が異なる高位置側端部１６と低位置側端部１７間を結ぶ傾斜溝１８を有したレバー本体１９にレバー１１を一体的に設け、レバー本体１９を化粧枠８の前面下方部に設けた受部２０に横動自在に設け、シャッター１０の前後移動距離に見合う長さでほぼコの字状に曲折し、シャッター１０に支持片２１を介して回動自在に設けられ、一端を化粧枠８に支持体２２を介して回動自在に設け、他端をほぼ逆Ｌ字状に曲折し、移動端部２３を形成し、移動端部２３をレバー１１の傾斜溝１８に係合する主軸部２４を構成する。
【００１３】
また、主軸部２４とほぼ同様のコの字状で、シャッター１０に支持片２１を介して回動自在に設けられ、両端部が化粧枠８に設けた支持体２２に回動自在に設けられ、主軸部２４とほぼ平行となるように補助軸部２５を設け、レバー１１の横動操作によりレバー１１に設けた傾斜溝１８に係合している移動端部２３を介して主軸部２４を起伏させるとともに、主軸部２４の動きに連動して補助軸部２５も起伏されシャッター１０を開閉するように形成する。
【００１４】
上記構成において、レバー１１に設けた傾斜溝１８の高位置側端部１６に主軸部２４の移動端部２３が係合しているときには、主軸部２４および補助軸部２５は伏せた状態でシャッター１０は閉鎖され、シャッター１０に設けたパッキン９が吸込口７の周辺部分に密着し外気の侵入が阻止されることとなる。
【００１５】
また、シャッター１０を開放するときには、レバー１１を横動し、レバー１１に設けた傾斜溝１８の低位置側端部１７に主軸部２４の移動端部２３を移動することにより主軸部２４が起立するとともに、補助軸部２５も起立してシャッター１０全体が前方に移動するとき、シャッター１０は円弧状の軌跡上を移動して開放され、シャッター１０は、主軸部２４と補助軸部２５により傾くことなく保持され、シャッター１０の周囲に均一な開口を確保することとなる。
【００１６】
そして、シャッター１０が開放された状態でファンモーター５が運転されると、室内の汚染空気が化粧枠８と化粧パネル１５間の周囲に形成される通風口１３より吸気され、化粧枠８の吸込口７を通り換気用パイプ２を介して室外に排出され換気されることとなる。
【００１７】
このように本発明の実施の形態１の換気装置によれば、化粧枠８の吸込口７を開閉するシャッター１０をレバー１１の横動操作により前後方向に移動して開閉するシャッター開閉手段１２を設け、シャッター開閉手段１２により開閉されるシャッター１０の開放時に周囲に通風口１３が形成されるように化粧枠８の前方に化粧パネル１５を設け、シャッター１０の全体を、レバー１１の横動運動に連動して起伏運動を行うシャッター開閉手段１２により開閉するので、通風口１３の開口面積が大きくなり、シャッター１０の前方への開放距離を小さくしても所定の換気風量を得ることができるとともに、レバー１１を横動させる構造とすることにより、レバー１１が前方に突出することもなくなり、壁面または、天井面から突出する厚みを薄くすることができ、使用者に違和感を与えることもなく、インテリア性の向上も図ることができる。
【００１８】
また、端部の高さ位置が異なる傾斜溝１８を設けたレバー１１を化粧枠８に横動自在に設け、傾斜溝１８に係合する移動端部２３を設け、ほぼコの字状でシャッター１０に回動自在に設けられ、化粧枠８に起伏自在に設けられる主軸部２４と、この主軸部２４とほぼ同形状で主軸部２４に平行で起伏自在に設けられる補助軸部２５とを設け、レバー１１の横動操作により主軸部２４および補助軸部２５を起伏させてシャッター１０を開閉するので、シャッター１０の開閉時に、シャッター１０が前後方向に移動するとき、シャッター１０は円弧状の軌跡上を移動することとなり、レバー１１の移動に対し、シャッター１０の開閉がスムーズに行われ、シャッター１０を軽やかに開閉することができるとともに、シャッター１０は主軸部２４と補助軸部２５の２本の軸部により、シャッター１０の傾きおよび、揺動が防止され、シャッター１０は確実に保持され、シャッター１０による通気抵抗の増大や騒音の発生等が防止され、また、シャッター１０の閉鎖時における気密性の向上を図ることができる。
【００１９】
（実施の形態２）
図６および図７に示すように、レバー１１Ａの傾斜溝１８Ａの長さＬ１を主軸部２４の移動端部２３の回動距離Ｌ２の長さより長い長さに形成した構成とする。
【００２０】
上記構成において、レバー１１Ａの傾斜溝１８Ａの高位置側端部１６に主軸部２４の移動端部２３が係合し、シャッター（図示せず）が閉鎖されている状態からシャッターが開放される状態になるときには、主軸部２４の移動端部２３は、レバー１１Ａの横動により高位置側端部１６より低位置側端部１７に移動されシャッターが開放される。
【００２１】
このとき、レバー１１Ａの傾斜溝１８Ａの長さＬ１が移動端部２３の回動距離Ｌ２の長さより長い長さに形成されることにより傾斜溝１８Ａの傾斜角度がゆるやかとなり、レバー１１Ａの横動によりレバー１１Ａに設けた傾斜溝１８Ａを移動する移動端部２３の移動が軽やかとなる。
【００２２】
このように本発明の実施の形態２の換気装置によれば、レバー１１Ａの傾斜溝１８Ａの長さＬ１を主軸部２４の移動端部２３の回動距離Ｌ２の長さより長い長さに形成したので、傾斜溝１８Ａの傾斜角度がゆるやかとなり傾斜溝１８Ａ内を移動する移動端部２３の移動がスムーズに行われ、レバー１１Ａの横動操作により軽やかに主軸部２４の起伏運動を行うことができ、シャッターの開閉操作をより小さい操作力で行うことができることになり、レバー１１Ａを小形化して美観を向上させることができる。
【００２３】
（実施の形態３）
図８に示すように、レバー１１Ｂの傾斜溝１８Ｂの高位置側端部１６Ａにレバー１１Ｂの横動方向と平行な高位置側保持溝２６を設け構成する。
【００２４】
上記構成において、シャッター（図示せず）を閉鎖したときには、傾斜溝１８Ｂに係合していた主軸部の移動端部（図示せず）が傾斜溝１８Ｂの高位置側端部１６Ａに移動し、さらに高位置側端部１６Ａに設けた高位置側保持溝２６に移動することとなる。
【００２５】
このとき、高位置側保持溝２６は、レバー１１Ｂの横動方向と平行に設けられているため、シャッターに開き勝手の外力が作用しても、移動端部が高位置側保持溝２６の側壁に当接して移動端部の移動が阻止され、シャッターは閉鎖状態で保持されることとなる。
【００２６】
このように本発明の実施の形態３の換気装置によれば、レバー１１Ｂの傾斜溝１８Ｂの高位置側端部１６Ａにレバー１１Ｂの横動方向に平行な高位置側保持溝２６を設けたので、主軸部の移動端部が傾斜溝１８Ｂの高位置側端部１６Ａに設けた高位置側保持溝２６に係合され、シャッターが閉鎖されたときには、シャッターを開くような外力が加わっても、移動端部は高位置側保持溝２６の側壁に当接して保持され、シャッターを閉鎖状態で確実に保持でき、シャッターががたつくのを防止することができる。
【００２７】
（実施の形態４）
図９に示すように、レバー１１Ｃの傾斜溝１８Ｃの低位置側端部１７Ａにレバー１１Ｃの横動方向と平行な低位置側保持溝２７を設け構成する。
【００２８】
上記構成において、シャッター（図示せず）を開放したときには、傾斜溝１８Ｃに係合していた主軸部の移動端部（図示せず）が傾斜溝１８Ｃの低位置側端部１７Ａに移動し、さらに低位置側端部１７Ａに設けた低位置側保持溝２７に移動する。このとき、低位置側保持溝２７はレバー１１Ｂの横動方向に平行に設けられているため、シャッターに開き勝手の力が作用しても移動端部が低位置側保持溝２７の側壁に当接して移動端部の移動が阻止され、シャッターが閉鎖状態で保持されることとなる。
【００２９】
このように本発明の実施の形態４の換気装置によれば、レバー１１Ｃの傾斜溝１８Ｃの低位置側端部１７Ａにレバー１１Ｃの横動方向と平行な低位置側保持溝２７を設けたので、主軸部の移動端部が傾斜溝１８Ｃの低位置側端部１７Ａに設けた低位置側保持溝２７に係合され、シャッターが開放されたときには、シャッターに閉じるような外力が加わっても、移動端部は低位置側保持溝２７の側壁に当接して保持されシャッターを開放した状態で確実に保持することができる。
【００３０】
（実施の形態５）
図１０に示すように、レバー１１Ｄの傾斜溝１８Ｄの高位置側端部に形成された高位置側保持溝２６Ａに主軸部の移動端部（図示せず）がロックされる突起状のロック手段２８を設けた構成とする。
【００３１】
上記構成において、シャッター（図示せず）を閉鎖したときには、傾斜溝１８Ｄに係合していた主軸部の移動端部が高位置側保持溝２６Ａに移動し、ロック手段２８により移動端部が高位置側保持溝２６Ａより離脱されないようにロックされることとなる。
【００３２】
このように本発明の実施の形態５の換気装置によれば、レバー１１Ｄの高位置側保持溝２６Ａに主軸部の移動端部がロックされるロック手段２８を設けたので、主軸部の移動端部が傾斜溝１８Ｄの高位置側保持溝２６Ａにロック手段２８を越えて係合され、シャッターが閉鎖されたときにはシャッターを開くような外力が加わっても移動端部がロック手段２８を乗り越えて傾斜溝１８Ｄの傾斜部分に移動するのがロック手段２８により防止され、レバー１１Ｄを操作しない限りロック手段２８を乗り越えることができなくなり、シャッターを確実に閉鎖状態で保持することができる。
【００３３】
（実施の形態６）
図１１に示すように、レバー１１Ｅの傾斜溝１８Ｅの低位置側端部に形成された低位置側保持溝２７Ａに主軸部の移動端部（図示せず）がロックされる突起状のロック手段２８Ａを設けた構成とする。
【００３４】
上記構成において、シャッター（図示せず）を開放したときには、傾斜溝１８Ｅに係合していた主軸部の移動端部（図示せず）が傾斜溝１８Ｅの低位置側保持溝２７Ａに移動し、ロック手段２８Ａにより移動端部が低位置側保持溝２７Ａより離脱されないようにロックされることとなる。
【００３５】
このように本発明の実施の形態６の換気装置によれば、レバー１１Ｅの低位置側保持溝２７Ａに主軸部の移動端部がロックされるロック手段２８Ａを設けたので、主軸部の移動端部が傾斜溝１８Ｅの低位置側保持溝２７Ａにロック手段２８Ａを越えて係合され、シャッターが開放されたときには、シャッターを閉じるような外力が加わっても移動端部がロック手段２８Ａを乗り越えて傾斜溝１８Ｅの傾斜部分に移動するのがロック手段により防止され、レバー１１Ｅを操作しない限りロック手段２８Ａを乗り越えることができなくなり、シャッターを確実に開放状態で保持することができる。
【００３６】
（実施の形態７）
図１２および図１３に示すように、レバー１１Ｆを横動してシャッター１０Ａを閉鎖したときに、伏せた補助軸部２５Ａを押さえるリブ２９をレバー１１Ｆに設け、シャッター１０Ａの開放を阻止する構成とする。
【００３７】
上記構成において、レバー１１Ｆに設けた傾斜溝１８Ｂの高位置側保持溝２６に主軸部２４の移動端部２３が移動し、主軸部２４が伏せた状態となってシャッター１０Ａが閉鎖されるとき、補助軸部２５Ａも同様に伏せてシャッター１０Ａが閉鎖される。このとき、レバー１１Ｆに設けたリブ２９が伏せた補助軸部２５Ａが起立するのを阻止するように押さえ、シャッター１０Ａの開放が阻止される。
【００３８】
このように本発明の実施の形態７の換気装置によれば、レバー１１Ｆを横動してシャッター１０Ａを閉鎖したときに、シャッター１０Ａの開放を阻止するように設けられるリブ２９をレバー１１Ｆに設けたので、レバー１１Ｆを横動してシャッター１０Ａを閉鎖したときには、レバー１１Ｆに設けたリブ２９によりシャッター１０Ａの開放されるのが確実に防止されることとなる。
【００３９】
【発明の効果】
以上の実施例から明らかなように、本発明によれば端部の高さ位置が異なる傾斜溝を有し、化粧枠の前面下方部に横動自在に設けられるレバーと、シャッターの前後移動距離に見合う高さに起きる長さでほぼコの字状に曲折し、シャッターに回動自在に設けられ、一端を化粧枠の前方に回動自在に設け、他端をほぼ逆Ｌ字状に曲折し移動端部を形成して前記レバーの傾斜溝に係合する主軸部と、この主軸部とほぼ同様の形状で両端部が化粧枠の前方に回動自在に設けられ、シャッターを保持するように主軸部にほぼ平行に設けられ、主軸部の動きに連動して起伏される補助軸部とを備え、レバーの横動操作によりレバーに設けた傾斜溝に係合している主軸部を起伏させてシャッターを開閉するシャッター開閉手段を構成したので、壁面または天井面から突出する厚みを薄くすることができ、また、シャッターの傾きや揺動が防止され、シャッターは確実に開閉する換気装置を提供できる。
【００４１】
また、レバーの傾斜溝の長さを主軸部の移動端部の回動距離よりも長い長さに形成したので、シャッターの開閉操作を軽やかに行うことができる。
【００４２】
また、レバーの傾斜溝の高位置側端部に、レバーの横動方向と平行な高位置側保持溝を設けたので、シャッターを閉鎖状態で確実に保持することができる。
【００４３】
また、レバーの傾斜溝の低位置側端部に、レバーの横動方向と平行な低位置側保持溝を設けたので、シャッターを開放状態で確実に保持することができる。
【００４４】
また、レバーの傾斜溝の高位置側端部に主軸部の移動端部がロックされるロック手段を設けたので、レバーを横動しない限りシャッターが開放されることがなくなり、シャッターを閉鎖状態で確実にロックすることができる。
【００４５】
また、レバーの傾斜溝の低位置側端部に主軸部の移動端部がロックされるロック手段を設けたので、レバーを横動しない限りシャッターが閉鎖されることがなくなり、シャッターを開放状態で確実にロックすることができる。
【００４６】
また、レバーを横動してシャッターを閉鎖したときに、前記シャッターの開放を阻止するように設けられるリブを前記レバーに設けたので、レバーとともにリブが移動してシャッターを確実に閉鎖状態で保持することができる。
【図面の簡単な説明】
【図１】本発明の実施の形態１の換気装置の設置時におけるシャッター閉鎖時の断面図
【図２】同換気装置の設置時におけるシャッター開放時の断面図
【図３】同換気装置の分解斜視図
【図４】同換気装置のシャッター開閉時のシャッターの運動軌跡を示す側面図
【図５】同換気装置のレバーの斜視図
【図６】本発明の実施の形態２の換気装置のレバーの斜視図
【図７】同換気装置の主軸部の移動状態を示す斜視図
【図８】本発明の実施の形態３の換気装置のレバーの斜視図
【図９】本発明の実施の形態４の換気装置のレバーの斜視図
【図１０】本発明の実施の形態５の換気装置のレバーの斜視図
【図１１】本発明の実施の形態６の換気装置のレバーの斜視図
【図１２】本発明の実施の形態７の換気装置のレバーの斜視図
【図１３】同換気装置の分解斜視図
【図１４】従来の換気装置の設置時におけるシャッター閉鎖時の断面図
【図１５】同換気装置の設置時におけるシャッター開放時の断面図
【符号の説明】
２      換気用パイプ
３      筒状部
４      開口部
６      フレーム
７      吸込口
８      化粧枠
１０    シャッター
１０Ａ  シャッター
１１    レバー
１１Ａ  レバー
１１Ｂ  レバー
１１Ｃ  レバー
１１Ｄ  レバー
１１Ｅ  レバー
１１Ｆ  レバー
１２    シャッター開閉手段
１３    通風口
１５    化粧パネル
１６Ａ  高位置側端部
１７Ａ  低位置側端部
１８    傾斜溝
１８Ａ  傾斜溝
１８Ｂ  傾斜溝
１８Ｃ  傾斜溝
１８Ｄ  傾斜溝
１８Ｅ  傾斜溝
２３    移動端部
２４    主軸部
２５    補助軸部
２６    高位置側保持溝
２６Ａ  高位置側保持溝
２７    低位置側保持溝
２７Ａ  低位置側保持溝
２８    ロック手段
２８Ａ  ロック手段
２９    リブ
【図１】
0003681939.tif 000002
【図２】
0003681939.tif 000003
【図３】
0003681939.tif 000004
【図４】
0003681939.tif 000005
【図５】
0003681939.tif 000006
【図６】
0003681939.tif 000007
【図７】
0003681939.tif 000008
【図８】
0003681939.tif 000009
【図９】
0003681939.tif 000010
【図１０】
0003681939.tif 000011
【図１１】
0003681939.tif 000012
【図１２】
0003681939.tif 000013
【図１３】
0003681939.tif 000014
【図１４】
0003681939.tif 000015
【図１５】
0003681939.tif 000016